(57)【要約】【課題】本発明は、こうした直流電源の供給余力に着目して、電圧低下に対応した制御を行うことで従来よりも長期間動作可能な電子機器を提供することを目的とするものである。【解決手段】制御回路１は、直流電源回路７から供給される電圧が低下したことをＡ／Ｄ変換端子９に入力された電圧から検知し、その電圧が所定範囲内にある場合にそれに対応して表示制御回路２に初期設定された初期値を変更することで、基準電圧以下でもＣＲＴ４及びスピーカ６が動作可能な状態として、電源電圧が低下してもできるだけ長く電子機器が動作するように制御する。【選択図】図１
2005136676.tif 000002
【特許請求の範囲】
【請求項１】
電源電圧として直流電圧を供給する電源回路と、電源電圧を検知する検知回路と、少なくとも１つの機能ブロックに関して初期設定される初期値に基づいて機能ブロックを制御する制御回路とを備えた電子機器において、前記制御回路は、前記検知回路が検出した電源電圧が所定範囲内の電圧であるか判定する判定手段と、所定範囲内の電圧であると判定されたときに初期設定された初期値を変更する変更手段とを備えていることを特徴とする電子機器。
【請求項２】
前記制御回路は、複数の範囲で設定された電圧範囲毎に初期値の変更値を記憶する記憶手段を備えており、前記変更手段は、前記記憶手段に記憶された変更値に基づいて初期値を変更することを特徴とする請求項１に記載の電子機器。
【請求項３】
前記機能ブロックの１つは画像出力ブロックであり、変更される前記初期値は、画像出力の際の明るさ、コントラスト、解像度又は画面サイズに関する設定値のうち少なくとも１つを含むことを特徴とする請求項１又は２に記載の電子機器。
【請求項４】
前記機能ブロックの１つは音声出力ブロックであり、変更される前記初期値は、音声出力の際の音声の最大出力又はチャンネル数に関する設定値のうち少なくとも１つを含むことを特徴とする請求項１から３のいずれかに記載の電子機器。
【発明の詳細な説明】
【技術分野】
【０００１】
本発明は、電源電圧として直流電圧が供給されて動作する電子機器に関する。
【背景技術】
【０００２】
電子機器は、一般に商用電源から交流電圧により動作するようにされているが、自動車等の車載用の電子機器はバッテリから供給される直流電圧により動作するようにされている。バッテリ等の電源は消耗してくると、電源電圧の低下は避けることができない。電源電圧が低下すると、電子機器が正常に動作しなくなるため、こうした電圧異常に対して対策をとる必要がある。
【０００３】
例えば、特許文献１では、電源電圧を検出して基準電圧値と比較し、警告表示やブロック毎にシャットダウンする点が記載されている。また、特許文献２では、電源電圧を検知して検知された電流により検知電圧を補正し、補正された電圧が設定電圧を下回る場合に電源の供給を停止する点が記載されている。また、特許文献３では、信号処理用の各集積回路に供給される直流電圧の状態を検知してどの回路で電圧異常が発生しているが警告表示を行う点が記載されている。
【特許文献１】特開平５−２３２１５４号公報
【特許文献２】特開平７−３３６８８１号公報
【特許文献３】特開平１１−２２０６７８号公報
【発明の開示】
【発明が解決しようとする課題】
【０００４】
上述した先行文献に示すように、一般に電源電圧の異常が発生した場合は、警告表示と電源の供給停止が行われている。直流電源の場合バッテリ等の消耗による電圧低下は徐々に進んでいくため、基準電圧値よりも低下した直後においてある程度の電圧を供給可能な状態が継続するようになる。こうした供給余力が直流電源にあるにもかかわらずこれまでは所定の基準電圧値以下になると電源の供給を停止していた。
【０００５】
そこで、本発明は、こうした直流電源の供給余力に着目して、電圧低下に対応した制御を行うことで従来よりも長期間動作可能な電子機器を提供することを目的とするものである。
【課題を解決するための手段】
【０００６】
本発明に係る電子機器は、電源電圧として直流電圧を供給する電源回路と、電源電圧を検知する検知回路と、少なくとも１つの機能ブロックに関して初期設定される初期値に基づいて機能ブロックを制御する制御回路とを備えた電子機器において、前記制御回路は、前記検知回路が検出した電源電圧が所定範囲内の電圧であるか判定する判定手段と、所定範囲内の電圧であると判定されたときに初期設定された初期値を変更する変更手段とを備えていることを特徴とする。さらに、前記制御回路は、複数の範囲で設定された電圧範囲毎に初期値の変更値を記憶する記憶手段を備えており、前記変更手段は、前記記憶手段に記憶された変更値に基づいて初期値を変更することを特徴とする。さらに、前記機能ブロックの１つは画像出力ブロックであり、変更される前記初期値は、画像出力の際の明るさ、コントラスト、解像度又は画面サイズに関する設定値のうち少なくとも１つを含むことを特徴とする。さらに、前記機能ブロックの１つは音声出力ブロックであり、変更される前記初期値は、音声出力の際の音声の最大出力又はチャンネル数に関する設定値のうち少なくとも１つを含むことを特徴とする。
【発明の効果】
【０００７】
上記のような構成を有することで、電子機器の動作を保証する基準電圧を決める場合に通常用いられる初期設定された機能ブロックの初期値を電源電圧の低下に応じて変更できるので、所定範囲内の電圧で電子機器の動作が保証される設定値に変更して電子機器を継続して動作できるようにする。
【０００８】
すなわち、通常電子機器の動作を保証する基準電圧の前提となる機能ブロックの初期値を変更することで電子機器の動作可能な電圧の範囲を広げることができる。例えば、テレビ等の映像表示装置では、画面の明るさの上限値について初期値を予め設定しているが、映像表示装置の動作を保証する基準電圧は初期設定された明るさの上限値を実現できる電圧に決められる。しかしながら、初期設定された明るさの上限値を下げることで、それを実現できる電圧値を低くすることができることから、基準電圧より低い所定範囲内の電圧ではそれに対応して変更値を設定して電子機器の動作が可能となるようにすればよい。したがって、電子機器を従来より長期間動作できるようになり、従来のように電圧低下により突然電子機器の動作が停止することがなく、制約付きながら電子機器の動作を継続することができる。
【０００９】
また、電源電圧が低下して基準電圧より低くなると、それに対応して回路内に通常よりも多くの電流が流れて電子機器の正常動作を維持するように制御されるが、こうして発生する過電流が電子回路に悪影響を及ぼすおそれがある。本発明では、基準電圧が実質的に低下するためこのような過電流の発生を防止することができる。
【００１０】
そして、電源電圧を判定する範囲を複数の範囲に設定することで、それぞれの範囲に対応してきめ細かく設定値を変更すれば電源電圧の低下に対応してより長く電子機器の動作を継続することができる。
【００１１】
また、機能ブロックが画像出力ブロックの場合その初期値のうち、画像出力の際の明るさ、コントラスト、解像度又は画面サイズに関するデータのうち少なくとも１つを変更することで電子機器の動作をより長く継続することができる。
【００１２】
また、機能ブロックが音声出力ブロックの場合その初期値のうち、音声出力の際の音声の最大出力又はチャンネル数に関するデータのうち少なくとも１つを変更することで電子機器の動作をより長く継続することができる。
【発明を実施するための最良の形態】
【００１３】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１４】
図１は、本発明に係る実施形態に関する全体ブロック図を示している。ここでは、電子機器としてテレビ受像機を例に挙げて説明する。制御回路１は、装置全体の制御を行い、表示処理に関して制御を行う表示制御回路２が制御回路１に接続されている。表示制御回路２は、図示せぬチューナー等から映像信号等を受信して映像情報処理回路３に映像情報を送信してＣＲＴ４に映像を表示し、音声信号については音声情報処理回路５に送信してスピーカ６より音声出力する。
【００１５】
装置に電源を投入すると、制御回路１から初期設定に必要な初期値が表示制御回路２に送信され、この初期値に基づいて表示制御回路２は映像情報処理回路３及び音声情報処理回路５を初期状態に設定する。
【００１６】
直流電源回路７からは、表示制御回路２、映像情報処理回路３及び音声情報処理回路５に直流電圧を供給している。制御回路１に対しては、別途定電圧回路８を介して直流電圧が供給されている。そして、制御回路１には、Ａ／Ｄ変換処理を制御するために入力電圧を検知するＡ／Ｄ変換端子９が設けられており、Ａ／Ｄ変換端子９は定電圧回路８に接続されて常時入力電圧が供給されている。
【００１７】
以上の構成で電源電圧が低下した際に従来と同様に初期設定された初期値をそのままの状態にした場合を説明する。図２において、直流電源回路７から供給される電源電圧ＶＤ及び電源電流ＩＤ、定電圧回路８からＡ／Ｄ変換端子９に供給される電圧ＶＣ、ＣＲＴ４に表示される明るさの上限ステップ数ＢＲＭＡＸ、スピーカ６から出力される音量の上限ステップ数ＶＯＬＭＡＸとした場合に、電源電圧ＶＤが低下していったときにＩＤ及びＶＣがどのように変化するかを示している。
【００１８】
正常な動作状態では、電源電圧ＶＤは１１〜１３Ｖの範囲の維持されており、この範囲内に電源電圧ＶＤが保たれていると、ＢＲＭＡＸが初期設定値３２及びＶＯＬＭＡＸが初期設定値６４とされた状態でＩＤ及びＶＣは正常な範囲に保たれている。ところが、電源電圧ＶＤがバッテリの消耗等により電圧値が１１Ｖより低下すると、それに合せて電圧ＶＣが低下するようになる。そのため、ＢＲＭＡＸ及びＶＯＬＭＡＸといった初期設定された状態を維持する必要から電源電流ＩＤが大きくなってくる。この傾向は、電源電圧ＶＤの低下が進むに従い大きくなるため、過電流による回路の損傷を防止するため保護回路が作動して、「動作保証」の欄に示すようにテレビ受像機自体の動作が停止される。したがって、電源電圧ＶＤが１１Ｖより低下すると、テレビ受像機が動作しなくなる。
【００１９】
図３は、本発明に係る実施形態の場合を示しており、電源電圧ＶＤが低下するに従い、ＢＲＭＡＸの設定値及びＶＯＬＭＡＸの設定値が変更される例を示している。この例では、図２の場合と同様にＶＣは電源電圧ＶＤの低下とともに低下していくが、ＢＲＭＡＸの設定値及びＶＯＬＭＡＸの設定値は、ＶＤが１０Ｖ以上で１１Ｖより小さい範囲内ではそれぞれ２４及び４８に、９Ｖ以上で１０Ｖより小さい範囲内ではそれぞれ１６及び３２に、８Ｖ以上で９Ｖより小さい範囲内ではそれぞれ８及び１６に−というようにＶＤの電圧範囲により徐々に小さい値に設定されている。したがって、上限値が小さくなった分表示制御回路２においてもそれに合せて表示制御が変更されて、電源電流ＩＤは大きくなることなく、正常状態と同様の値に維持されるようになる。そのため、回路の損傷を生じるような過電流が抑えられ、その分長くテレビ受像機が動作可能となる。ただし、設定値が変更されるため、例えばＢＲＭＡＸが小さくなるとＣＲＴの画面の明るさが明るくできなくなって場合によっては暗い状態となり、またＶＯＬＭＡＸが小さくなると音量を大きくできない−といった制約がかかるようになる。
【００２０】
図４は、制御回路１及び表示制御回路２での処理フローを示している。まず、Ａ／Ｄ変換端子９の入力電圧ＶＣの検知処理が行われると（Ｓ１００）、それに合せて電圧ＶＣが２．５Ｖ以上か否かチェックされる（Ｓ１０１）。ＶＣが２．５Ｖより小さい場合には、直ちに装置全体の動作停止処理が行われて（Ｓ１０２）、電源供給が停止される（Ｓ１０３）。
【００２１】
一方、ＶＣが２．５Ｖ以上の場合には、４．５Ｖより小さいかチェックされて（Ｓ１０４）、小さい場合にはＶＣが図３に示した電圧範囲のどの範囲に入るか判定される（Ｓ１０５）。図３に示す電圧範囲に対応した設定値は制御回路１の記憶回路に予め記憶しておき、判別された電圧範囲から対応する設定値を読み出して表示制御回路２に送信して設定値の変更処理を行う（Ｓ１０６）。表示制御回路２では、変更された設定値に基づいて映像情報処理回路３及び音声情報処理回路５を制御するとともに、必要に応じて図５及び図６に例示するような報知画面を表示する。図５では、ＶＯＬＭＡＸの設定値が小さくされたため音量が制約されることが報知されており、図６では、ＢＲＭＡＸの設定値が小さくされたため明るさが制約されることを報知している。この場合、電源電圧が低下したことを示すマークを合せて表示してもよい。なお、Ｓ１０４においてＶＣが４．５Ｖ以上の場合にはそのまま終了される。
【００２２】
以上の例では、ＣＲＴ４に表示される明るさの上限ステップ数ＢＲＭＡＸ、スピーカ６から出力される音量の上限ステップ数ＶＯＬＭＡＸを設定値として説明したが、画面表示制御において設定されるコントラスト、解像度又は画面サイズに関する設定値や音声出力制御において設定されるチャンネル数に関する設定値を使用することも可能である。例えば、コントラストの場合には濃淡のレベルを下げるように変更したり、解像度の場合には解像度を落とすように変更すればよい。また、画面サイズの場合にはより小さい画面に変更したり、チャンネル数の場合にはステレオからモノラルに変更すればよい。
【図面の簡単な説明】
【００２３】
【図１】本発明に係る実施形態に関するブロック構成図である。
【図２】電源電圧が低下した際に設定値を一定とした場合の状態変化を示す表である。
【図３】電源電圧が低下した際に設定値を変更する場合の状態変化を示す表である。
【図４】本発明に係る実施形態の動作を示す処理フローである。
【図５】音量が制約される場合の報知画面を示す図である。
【図６】明るさが制約される場合の報知画面を示す図である。
【符号の説明】
【００２４】
１    制御回路
２    表示制御回路
３    映像情報処理回路
４    ＣＲＴ
５    音声情報処理回路
６    スピーカ
７    直流電源回路
８    定電圧回路
９    Ａ／Ｄ変換端子
【図１】
2005136676.tif 000003
【図２】
2005136676.tif 000004
【図３】
2005136676.tif 000005
【図４】
2005136676.tif 000006
【図５】
2005136676.tif 000007
【図６】
2005136676.tif 000008